(57)【要約】 過去・現在・近未来の実体・予測等が端的に表示されている予測データや、長期的に本来あるべき目標データ・他を近未来検討表の対照的な構成の各欄に掲載し人工知能の活用、対策会議の協議・議決を経て各々・各時代の責任範囲を設定する。これにより目標データの遂行を図って持続的な安定の遠目標の一手段を図るものである。【課題】  過去・現在・近未来の課題[例えば前期必需材]は各々限界を目前にしておりこのまま成り行き任せ・放置が続くと続々と限界を超えて苦境（破綻の危機犠牲・他）に陥る危険性があり人類の将来展望は難しくなる危険性がある。【解決手段】  手段１.過去〜近未来の課題の根源的原因【例えば各国・各地域・各年代】が検討される検討手段を備える。２.過去〜近未来の実績・予測データを入念に検討し長期的に本来あるべき近未来の目標データが近未来検討表の対照的な各欄の中に掲載される。３.目標データは極力人工知能の活用、対策会議の協議・議決を経て最新技術で公表される。４．近未来検討表は帯長状のテープ形に接続・巻き取られる形態とされ、自動的・連続的に一挙に近未来検討が成される巻き取り型が採用されあとは各国・各地域・各年代の鋭意遂行が待たれるのみとみなされる。結果は追跡欄の追跡データで管理される。５．上記によって苦境に陥ることが回避され持続的安定の遠目標の一手段が図られる基盤を図る。【選択図】  図6【特許請求の範囲】
【請求項１】
現在・近未来以降の課題に対抗して開発されたシステム開発[例えば人類の生存の維持に不可欠・不可分な必需材（資源・エネルギー・環境・食料・人口・他）]に関する過去・現在の実績データや近未来の予測データの整列・分析による総合的・根源的な検討用の検討手段を具備し、該システム開発が長期的に本来あるべき目標データの検討を図って最新技術（電子計算機・インターネット・他）に対応して構成された検討装置と、該目標データが遂行されるべく最新技術（特に情報機・情報紙・他）の配置・掲載・表示により該遂行に必要な諸条件の検討を図って近未来以降の実体の目標データが目標欄に掲載され長期的に本来あるべき近未来の実体が検討される実体装置と、を具備し、該課題によって近未来以降の必需材等が次々に限界を越えて止むを得ず苦境（破綻・危機・犠牲・他）に陥る事前に極力長期的な持続的安定を遠目標にその１手段を図る養護体（検討体）を有することを特徴とする養護装置。
【請求項２】
前記養護体は、過去・現在の実績データや近未来の予測データが掲載される予測欄、それらのデータを検討して近未来に長期的に本来あるべき目標値が対策会議で協議・議決された目標データを掲載用の目標欄、が整然と整列して配設された近未来検討表を含む検討装置と、それらの各欄・全データが機械記載・読取り可能に構成された電子計算機を含む実体装置と、を具備した検討体を有する請求項１に記載の養護装置。
【請求項３】
前記養護体は、各国・各地域の多数種の検討表が連接されて細長の帯状に形成された近未来検討表と、該近未来検討表は全データが最新の電子計算機によって機械記載・読取りが可能で、さらに人工知能によって近未来の検討が略自動的・連続的に成されてより的確・高速・大量の処理が可能に構成された電子計算機（知能）と、を具備した検討体（知能）を有する請求項１に記載の養護装置。
【請求項４】
前記養護体は、前記システム開発[例えば前記必需材]に関するデータの推移[例えば、近未来以後の世界情勢・全必需材に重大な影響を及ぼすが既に限界の徴候が現われつつある世界人口の増大問題の根源的な原因である各国・各地域の根源データの推移]に関する過去・現在・近未来の実績・予測が各々データによって表示される予測欄と、該予測欄に於けるデータの増減率やその区分けが代表記号で表示・識別される識別欄と、長期的に本来あるべき近未来の目標データが協議・議決されて掲載・表示される目標欄と、世界や各国の指導等や議決による各国・各地域への勧告の要旨が代表記号で表示される勧告欄と、該目標データを遂行・努力後の実績の推移を追跡してその追跡データが掲載・表示される追跡欄と、を必要選択的に具備して該必需材の各々が個別に検討されるべき近未来検討表（個別）を構成し、その複数枚が帯長状に配列・接続されて総合的な検討も可能に構成された検討体を有する請求項２に記載の養護装置。
【請求項５】
前記養護体は、前記システム開発に関する重要課題が掲載された前記情報材が略放射状・核分裂状に配置され、月日の経過と共に極力広域的・長期的な実体等の検討を可能に構成された実体装置と、該情報材に表示された該重要事項の入念な検討・理解を経て一定期間内に次の複数のグループへの説明・仮指導が繰り返される循環過程が核分裂状に派生して運用されるべく施行や循環方法が法制化された法制装置と、を具備し、該法制の規定に沿って近未来の検討を図る検討体（派生体）を有する請求項１に記載の養護装置。
【請求項６】
前記養護体は、前記システム開発の標準的進展を図るべき現状の要諦となる各々の項目・要旨を表示用の各欄が対照的に掲載された現状枠と、該現状枠の各欄の内容が適用の過程で検討・提案された改良の項目・要旨及び改良の客観的な評価を表示用の各欄が対照的に掲載された改良枠と、該各枠・各欄に掲載のデータの追跡・表示が可能な各欄を備えた追跡枠と、を必要選択的に具備して改良検討表を構成し、適用地域・時代の変動に備えて電
子計算機・インターネット・法制装置に対応して構成された検討体（改良体）を有する請求項１に記載の養護装置。
【請求項７】
前記養護体は、建物内が複数室に区画された一般施設・企業・閲覧室・店舗・他に於いて多数の関係者が常時集中して各々の業務・閲覧・購入検討・他等を行う集中室と、主に収容物品・閲覧物・販売品・他等の関連物品が載置され少数の関係者が臨時的に作業する拡散室と、を備えた建物であって、該集中室と該拡散室との照明・暖冷房・他の電源を略独立的・統一的にＯＮ・ＯＦＦまたは明・暗にする電源設備と、該集中室で選択された該拡散室の室配置図・電源番号が対照的に掲載された選択設備と、望ましくは該拡散室の電源が現在のようにＯＮまたは明のままでの常時放置ではなく該集中室での選択された電源番号が短時間のみＯＮまたは明にしうるよう極力略統一的な節電が可能に規制されうる法制装置と、を具備して構成された検討体（節電体）を有する請求項１に記載の養護装置。
【請求項８】
前記養護体は、前記検討装置・前記実体装置等を備えた近未来検討表が例えば電子計算機等によって作成される近未来検討表の作成段階と、該近未来検討表の目標欄のデータ欄に長期的に本来あるべき目標データが極力電子計算機等で記載されて近未来が検討される近未来の検討段階と、該データをデータ欄に記載した近未来検討表が情報機（インターネット等）に入力・出力されて実用化される実用段階と、該実用化に伴って近未来以降の検討が次々に限界を超えて止むを得ず前記苦境に陥ることの回避を極力図る回避段階と、を具備した前記システム開発の使用方法を有する請求項１に記載の養護装置の使用方法。
【請求項９】
前記養護体は、前記システム開発・前記必需材等に関する予測データ・情報・諸種の要因・条件・目標等が前記最新の電子計算機（知能）に入力される入力段階と、該最新の電子計算機（知能）によって前記目標データが検討され目標欄に記載されて出力され対策会議で協議・調整・議決される議事段階と、該目標データの遂行を目標に各国・各界が鋭意遂行に努め該目標データの検討や必需材への意識更新が情報機（インターネット等）によって組織を基盤にして秩序正しく整然と遂行される遂行段階と、それら遂行の結果の追跡データが前記追跡欄に掲載され関連の各欄のデータと検討される追跡段階と、必要選択的に具備した前記システム開発の使用方法を有する請求項８に記載の養護装置の使用方法。
【発明の詳細な説明】
【技術分野】
【０００１】
本件の発明は、現在・近未来以降の課題に対抗して開発されたシステム開発、例えば前記必需材に関する過去・現在の実績データや近未来の予測データの整列・分析による総合的・根源的な検討用の検討手段を具備し、該システム開発が長期的に本来あるべき目標データの検討を図って最新技術（電子計算機、インターネット・他）に対応して構成された検討装置と、該目標データが遂行されるべく最新技術（特に情報機・情報紙・他）の配置・掲載・表示により該遂行に必要な諸条件の検討を図って近未来以降の実体の目標データが目標欄に掲載され長期的に本来あるべき近未来の実体が検討される実体装置と、を具備し、該課題によって近未来以降の必需材等が次々に限界を超えて止むを得ず苦境（破綻・危機・犠牲・他）に陥る事前に極力長期的な持続的安定を遠目標にその一手段を図るものである。
【背景技術】
【０００２】
２０世紀は去り、私達は２１世紀を迎えすでに１３年が過ぎた。ここで２０・２１世紀の時代を人類の歴史や地球の歴史上より顧みることは、単に１つの世紀の区切りの時代ということのみに止まらず極めて重要な意義を有することになった。恐らくこの数１０年の世界の対応如何が、未来に向けて未永く生存するべき人類の運命を左右しかねない程、重要な意義を持つと予測される事態に至ってきた。資源の枯渇・地球温暖化・エネルギー不足・食料の限界・地球温暖化・廃棄物の増大・世界人口の激増・原発崩壊による健康問題・等への危機的傾向が深刻さを増し、いずれも全地球規模の課題となりつつあるからである。【０００３】
まず、２０世紀の前・後１世紀の変化の実体と予測とを客観的に把握しておく必要がある。図１は１９・２０世紀における主な変化の実体と、２１世紀に於いてこの傾向が続く場合の予測と、を示す。図１の図（a）・図（b）を参考にして２０世紀の初めと終りとを比較すると、世界人口は約３倍、国民総生産は約２１倍、エネルギー消費量は約６０倍に激増した。さらに、１９世紀中頃と２０世紀の終りとを比較すると、世界人口は約８倍、国民総生産は約５０倍、エネルギー消費量は約８０倍に、各々爆発的に激増した。特に、世界の工業生産は２０世紀に１００倍以上増加した。革命的なまでに産業は発達し、人間の生活様式は大きく変化し、人間の活動力は大きく伸びた。【０００４】
このような著しい伸びは、私達の人間社会を物質的に豊かにした。人間の行動範囲は飛躍的に広がり、活動能力は伸長し、文明は高度に発達した。現在の文明は便利さと、快適さと、豊かな社会と、を求めて成長と開発に努めてきた私達人類の汗の結晶であり、活動の軌跡である。確かに私達は１９世紀までよりはるかに発達した高度の文明を持ち、遺産として残すことができる。しかし、それら著しい活動の副産物として、資源枯渇の問題・地球温暖化の問題という大きく、かつ深刻な試練を受けることになっている。副産物の中には人間の居住パターンを変える程の大きな影響を及ぼすと予想されているものもある。その具体的な１例を図１を参考にして大略説明する。【０００５】
前記した図１の図（a）・図（b）に示すように、２０世紀における世界人口・国民総生産・エネルギー消費量は爆発的に増大するに至り、図（c）に示すように石油消費量は年間１０億トンを超すようになり、この傾向が続くと石油資源はあと４０数年の中に枯渇すると予想されている。そして、木材需要・農耕地需要、により熱帯雨林が年間１１３０万ha破壊されている。森林、特に熱帯雨林は地球の肺に相当する程、大気中の二酸化炭素を吸収し酸素を供給する。このような森林・熱帯雨林の破壊と併せて、石油等の化石燃料は燃焼時に大量の二酸化炭素を排出する。この結果、図（d）に示すように、大気中の二酸化
炭素の濃度は年々増大する傾向を示すに至った。そして、図（e）に示すように地球温暖化の傾向が強まりつつある。この傾向が続くと、図（f）に示すように、海水位が年々高くなり、近未来は臨海都市・地域は水没化する危険性がある。【０００６】
生命にとって絶好の生存環境条件を備えた現在の地球は、太陽からの公転距離、従って、太陽から受ける太陽光の照射エネルギーの量、地球の大きさ、地球の自転速度、地球の地軸の傾斜、地球の磁力やバリヤ層による宇宙線や紫外線の照射量の調整、大陸や海の大きさ、大気・水・海水、等で構成され、数億年の植物等の活動による酸素の生成・等々によって奇跡的に生み出された。現在の地球環境は上記のような諸条件の微妙なバランスと超長年月をかけた熟成の末に造り出されたものである。しかし、地球環境はバランスが崩れ始めると壊れ易い有限の球体である。有限であるから資源と環境とが限られた超巨大な宇宙船にも例えられる。地球環境は過度な自然破壊さえ無ければ、忍耐強く、少々の打撃にも耐えられる寡黙な包容力がある、ねばり強い一面を備えた存在でもありうる。【０００７】
地球は人間の個々の存在から視れば、圧倒的な巨大さと、うねりと、超長年月をかけた活動とをもつ大自然の１つである。大自然には緩衝能力があり長期にわたって被害を表に出さない。しかし、ある限界を超えると急に状況が悪化するものがある。それが明らかになった時はすでに手遅れだという傾向が強い。地球環境はある方向へ傾斜し始めたら回復困難な非可逆的な性質をもっている。地球環境の諸問題は今ならまだどうにか取り組みが間に合うかもしれないが、時期を失せぬ中に早急かつ慎重な応急的対策をとらなければ難しくなるものが多い。地球環境は全く奇跡的な比類のない創生であるから、当然のことであるが、これは現在の人類のためだけのものではない。未来に向けて末永く生存すべき膨大な未来の人類と、多くの種類の未来の膨大な生物とが共有すべき唯一の住家であり、生命の根源である。ところが実際には、地球環境がわずか約１世紀の人類の活動が原因して破壊されかけようとしている。この危険な傾向は現在の人類の責任において修正・転換され地球環境は養護され尽くされねばならない。そのためには、環境破壊の原因の排出を繰り返した２０・２１世紀の人類の活動の全てが個々の立場に於て検証され、最善の対策が図られべき必要に迫られてきた。【０００８】
前記したように私達は便利さと、快適さと、物資の豊かさと、を手に入れたのと引き換えに毎日実に多くの資源やエネルギーを消費している。例えば、我国では１年間に排出される一般廃棄物は約５千万トン（東京ドームの１３８杯分）を超え、産業廃棄物は約４億トン（同１１０４杯分）を超えている。後者では最終処分場があと１．６年で満杯となり以後は廃棄する場所に困窮するとされている。このような大量の廃棄物の原因になっているものは、日常生活や経済活動で使用され捨てられた膨大な製品の集積であり、膨大な製品は実に大量の資源やエネルギーを使って製作されたものである。【０００９】
大量生産、大量消費、大量廃棄によって私たちは深刻な廃棄物問題から、さらに発展して資源枯渇問題・環境問題という非可逆な深刻な課題に直面することになっている。以上は先進国に共通する課題であるが、先進国に追いつき・追い越す勢いを増しつつある発展途上国も先進国とほぼ同様の経過をたどるとすれば人口が膨大であるだけに世界全体では現在の数倍の規模になる。資源枯渇問題・地球温暖化問題・廃棄物問題は２１世紀以降の近未来に深刻な影響を及ぼす地球規模の課題である。上記これらの諸課題には絶対的限界がある。幾世期、数億年かけて生成された森林や土壌や地球独特の資源等が今や人間一生程の短い期間に消費されている。また、これらのことが将来、政治的・社会的安定を脅かす原因となってくる可能性が大きい。【００１０】
２０世紀の人類はその活動の産物として数々の地球環境問題で大きなツケを２１世紀以降の後世に残すことになった。後世の人々は数々の大問題の解決に懸命にならねばならぬ時が来る。懸命になって解決されればそれで良い。なおかつどうすることもできず解決でき
ぬ時にどうするか。２０・２１世紀はこのことに対して痛切に心が痛まざるを得ないのが本当だ。【００１１】
人類は有史以前の大昔の出来事や、数万年・数億年後の未来の事や、宇宙の果てまで研究し次々と明らかにしてゆくことができる唯一の生物だ。地球や人類の未来の課題はこうなるに違いない、と理論的に判っているのであれば、これをできる範囲・程度まで解決しておこうとする努力は放置されるべきでないだろう。技術の未成熟なために現時点では推定に止まることが多い、でも仕方がない。方向性や必要性の明確になった技術開発は年月がかかれば何とか妥当な答えがでるものが多い。やがて世の中の技術がレベルが向上し発展すれば難問が解決される日も来るであろう。現在の地球環境問題にも未来の地球・人類には天体上の諸理由によって起こる危機、正に大危機と呼ばれる試練が待ち受けている。過去複数回到来したものは未来も複数回到来するであろう。例えば氷期の到来の課題然り、小惑星の地球衝突の課題然りである。それらは桁はずれの厳冬や大地震よりさらにレベルが異る大危機である。以上は相当現在に近い近未来〜中未来の切実で大きな課題である。【００１２】
相当先々の中未来〜遠未来のことになるが太陽光度の漸次増強による地球高温化、地球の第２金星化の課題は放置すれば生物や人類の世紀末とも言うべき、全運命を左右する大危機である。しかし、人類はこれらの大危機も  時には技術開発や実用化が間に合わず大打撃を受ける可能性があるか無いか現時点では判明できないが何とか解決して乗り越え生き延びる可能性は残っていると推定される。それは技術開発が目標を持って開発済みの蓄積技術を土台にして、一歩一歩階段を登るようにより困難な課題の技術を解決し克服し高度な技術を手中に「蓄積・向上する」創造力を備え、手法・機器を人類が持っているからである。
【先行技術文献】
【特許文献】
【００１３】
【特許文献１】ＰＣＴ／ＪＰ２０１０／０５３５７１ＰＣＴ／ＪＰ２０１２／０７５６６７特願２０１３−５２５７９１
【非特許文献】
【００１４】
【非特許文献１】世界統計白書（木本書店）、世界国勢図解（矢野記念会）
【発明の概要】
【発明が解決しようとする課題】
【００１５】
現在は前後約５０年の中心で歴史的に重要な岐路にある。図１・図２・図７のデータ（信頼できる統計白書に基く）が裏付けるように世界人口激増・資源・エネルギー・環境・食料の必需材は特異な曲り角にある。既に限界も多い。資源特に化石資源は地球独特の非常に重要な材料資源であるがエネルギーとしても約９０％消費されている。石油・ウラン・天然ガス・メタンは約４０〜１００年、石炭は１９０年で枯渇する。再生可能エネルギーは主力に程遠い。エネルギーは展望しにくい状況にある。他方世界人口は９０〜１００億人に達し、近代化著しく消費が厳しくなる。日常品（資源）・電気・環境は毎日慣れると当然の事と錯覚して大切にする心が薄れ勝ちだが小さい事の広域・長年の積み重ねが大きくなり必需材の危機となる。生存に不可欠な必需材は一旦進行すると原状に復帰できない非可逆の特質がある。
【課題を解決するための手段】
【００１６】
２０世紀を中心とする約１５０年の現在は世界人口が約７倍、エネルギー消費が約８０倍
、工業生産が約１００倍に激増した。必需材はこの激増で限界近くになった。必需材の各々が次々に限界を越えれば苦境になる。現在は厳密に曲がり角にある。手段１は必需材に関する過去・現在の実績データや近未来の予測データの整列・分析により近未来の総合的・根源的な検討用の検討手段を構成する。手段２は該必需材が長期的に本来あるべき目標データの検討を図って電子計算機・インターネットに対応して構成された近未来検討表等の検討装置を構成する。手段３は該目標データが遂行されるべく情報機等を配置して該近未来検討表を掲載・表示して該目標データの遂行に必要な諸条件の検討を図って近未来の実体が検討されるべき実体装置を構成する。手段４は必需材等が次々に限界を越えて苦境に陥る事前に持続的安定の遠目標の一手段を構成する。
【発明の効果】
【００１７】
（１）＜検討体＞（実施例１の効果）
本発明の検討体の趣旨を下欄に略記する。本発明の遠目標は非常に達成困難な課題だが重要事項と判断され、近い将来の近未来の検討は人工知能が活用される。ところで私達は、極くありふれた日常の体験として道に迷うことがあり、充分注意していたつもりでも歩むべき道を間違って進むことがある。その時に私達はどのようにするであろうか。この道は早晩集団全員が不明な所へ出て危険かもしれない。そのように気がついた時点で考え直して一体何時から道に迷ったか、あるいは道を間違えたかをしばし考え直してみる。そして、後戻り可能ならばできる範囲内で後戻りするであろう。もし後戻りできなければ新しい道を懸命に探索するであろう。一般に歩く道に迷い、間違えた程度のことであれば後戻りはそう難しいことではない。初めての土地であれば歩いた経験がないので全く分からず感のみに頼ることもある。【００１８】
人の一生ではどうであろうか。例えば毎日の行動や職業の選択ではどうするか。人の一生は判断の連続であり選択の連続である。職業の選択では異なった職業を選択し直すことで新しい人生を進み直すこともできる。しかし貴重な年月と投入するエネルギーとが無駄に消費されることもある。体験が活きることもある。人の一生ではやり直すことができるものと、できないものとがある。毎日の行動でも同じことである。「人間は間違い易い動物である」とされている。貴重な年月・時間とエネルギーが無駄に消費されないためには、絶えず鋭敏に注目し最善の判断をすることである。人々は判断を間違えることが少ないように若年層に限らず幅広く教育を受け種々の知識を習得し情報を得る。そして、気がつくのが早い方が、貴重な年月やエネルギーの消費の無駄を少なくできる。【００１９】
人の集団である社会・国・世界はどうであろうか。やり直しは非常に難しい。人の集団では判断の正確さを期すために複数人による協議や会議による議決がある。これらの補助材料として最新技術（電子計算機・情報機・情報紙・系統構造・法律・制度・他）等々が活用される。人間の力では及ばない点は最新技術の超能力が活用されるべきである。しかし、最新技術を駆使するのは人間である。最新技術を創造したように主役はあくまで人間の力である。人間の直観・判断・創造・ヒラメキ等は機械にないものがある。これらは大切にされねばならない。人間は持って生まれた力と、最新技術と、は有効的に融合されて組合せの力が活かされる。人間の過去の体験や、歴史や大自然にも学ぶべきものが多々あると考えられる。【００２０】
それでは、人類の生存の維持に不可欠な必需材（資源・エネルギー・環境・食料・人口・他）はどうであろうか。結論からすればこれらは一旦失ってしまったら取り返しがつかない程に不可能に近い。特に資源・エネルギー・環境は完全に近い程に限界を過ぎれば二度と後戻りできない一本道である。食料・人口の問題も元の状態に戻るのは数１００年を要する。その間に必需材の消耗はどんどん進むだろう。資源・エネルギーの地下資源は枯渇を目前にしており、枯渇後はこの世から姿を消してしまう。「近未来以後は何とかするだろう」と考えるのは余りにも楽観過ぎるのではあるまいか。現在のデータを分析した状況
では資源・エネルギー・環境に関しては人類特に先進国・発展途上国は道の選択は現状で良かったであろうか。楽観が過ぎれば苦境（破綻・危機・犠牲・他）に陥ると判っていてもどうしようもない。大変な道の迷い方に近いとすれば現在以後は一体どうすれば良いだろうか。難しい問題である。【００２１】
化石資源の代替は生分解性樹脂が、エネルギーに関しては再生可能エネルギーが、各々考えられるがその限界もあるとされている。コストの問題もあるがそれ以上に品質の問題は大切な材料資源であるから大変な問題である。化石資源に完全に代替可能な物質はないとされる。これらは２０・２１世紀の責任であるまいか。これらは現在の中に見通しをつけるまでに育成されるべきかも知れない。余りにも難しい現在の課題である。食料・人口の問題も一本道に近いが後戻りが難しい程大変な現在の課題である。特に世界人口は対象が大きいだけに難しい課題である。これは全必需材への影響力が大きいので何とか対策が必要である。【００２２】
次に、大切なことは、これらと同様の道の選択・迷い込みが近未来以降に二度と起こらないようにするには一体何をすれば良いであろうか。これも難しい現在の課題である。現在の課題が更に輪を広げるように近未来以降に大きな影響力をもつからである。その為にまず現在は現在の状態を正しく、できるだけ具体的に知ることである。どうも変だと誰もが感ずる以後になってからでは限界を大きく越えて既に手遅れである。単に手遅れと言って後悔しても済まない場合にどうすれば良いか。これは非常に難しい問題で対策に困る。しかし誠に苦しいながら現在の状況を正しく客観的に知る手段の１つとしてデータを活用する道がある。万人が現在を正しく知るための一手段である。しかし、実際にはデータ自体も相当の年数程の「遅れ」が出てくることは仕方ない。【００２３】
例えば、各国の「電気消費量」に関するデータは電力供給と、電力消費と、の各施設が建設された後に、それらの数年の後に実際データがとられ印刷されて初めて社会の万人が知ることになる。従って、全部併せた数年の後にデータの検討が成されざるを得ないことになる。これは止むを得ないことである。【００２４】
更に、実際にはこれらのデータを検討して対策をとったとしても数年の遅れがでることになる。必需材の問題は一旦失ってしまえば前記のようにと取り返しがつかぬ。だから極力道を間違えないようにしなければならない。そのためには一体如何にすれば良いか。私達が過去から現在まで歩んできた道を正確に示すものはデータである。データを頼りに現在までを正確に知ることが最善の手段であることは間違いないと推定される。しかも目標データの遂行で近未来を検討することである。【００２５】
統計白書によると、一部のデータに過ぎないが、過去・現在の実績データだけでなく近未来の予測データが示されているものがある。（１例は各国人口）この予測データは過去の増減率等から機械的に算出されたデータであろう。しかし、この予測データは現在の状況を正しく知るうえで非常に参考になる。この予測データは各国人口のみに限らず必需材の全般に掲載されるべきである。単に過去・現在から機械的に算出されたもので参考データとされてもよい。【００２６】
このように過去・現在の実績データと近未来の予測データは正しく整理・分析されたうえで更に諸要因が併せて検討・入力されて近未来に本来あるべき「目標データ」の欄が対照的に配置されると、近未来を検討する上で格段に効果的で望ましい。実績データと予測データのみだったら機械的・消極的なデータに止るが、目標データが掲載されることで一挙に積極的なデータの活用手段となる。単に消極的で傍観的なデータに止っていた従来のデータの活用方法の上に更に付け加えて「近未来検討」あるいは「近未来企画」の新しい努力創出の効果が生まれる。即ち、新しく「近未来目標」をデータ表の中に織り込み検討す
ることで近未来をできれば何とか苦しいながら創出する新しい力となる可能性がある。【００２７】
最初に本件のように「目標データ」をあらかじめ掲げて鋭意努力するのは従来のように「成り行き任せ」「放置」に慣れた現在には相当に苦労を要するかと推察される。しかし、何事も苦労は付き物である。苦労がわずらわしいからあきらめるのであれば最初から何もしない方が良くないか。もしかして本当に困り切りみじめなのは現在の課題を一身に負う近未来以降ではあるまいか。現在は果たしてどうすれば良いか。「楽観」が過ぎれば「苦境」になるとすれば現在は一体どうするべきか。【００２８】
目標データは下記のような特徴があるがその効果の程度は予断できにくい。一般にデータには過去・現在の実績データと、近未来の予測データとがある。予測データは過去・現在の各データに於ける増減率等から近未来に予測されるデータで通常電子計算機で機械的に算出されるデータであり現存する。目標データはインターネット等に表示された対照的な構成の近未来検討表の中でこれらのデータを総合的に検討した上で、このまま推移すれば例えば近未来に何か不都合が起ると危惧される場合がある。この場合に目標データは近未来に考えられる諸要因を考慮に入れて、近未来は相当の努力をしてでも是非こうあるべきと検討され判断して設定されるデータで非常に重要である。【００２９】
例えば目標データは近未来検討表の中で対策会議の複数人が協議・議決し努力目標として定めたデータのことである。従って目標データは協議をした代表の関係者の各団体（例えば各国の略全体）が努力すべき約束事である。約束事であるから実行に懸命になる。データに基くから相互に本来的に信頼感が生まれる。協議・議決済だから信頼感が強い。各団体の数年間の目標にして設定されるから目標達成への一体感が生まれる。各団体や社会一般・公の多数が努力しようとするから略全員参加の活動で達成される。目標達成への多数による、場合によっては創造的な対策が生まれ実施例5によって提案される。【００３０】
目標達成は努力の過程でどうしても達成が無理と判明しそうな場合には、止むを得ずもう一度目標設定をし直して出直すこともでき総合的検討の努力には価値がある。目標データは達成状況を追跡して追跡データとしてチェックすることもできる。目標データは過去・現在の実績データや近未来の予測データや追跡データは近未来検討表の中に整列して配置できるので対照的に充分に比較検討される。特に互いに不可分の影響力がある必需材は全体的に目標データを設定し全体的に何とかすることである。近未来検討表はこれらのデータが各々の個人や各団体でも確認・検討され易く対照的に整然と整列して配置される。過去・現在の実績データ・予測データが縦方向に整列され比較できる。縦方向に整列された過去・現在の実績データと近未来の予測データと以後数年間の追跡データが帯状に整然(図６を参照)と整列されれば比較対照できる。【００３１】
個人・団体・会議で比較対照し易いことは的確に近未来の検討が的確に行える。このことは各国・各地域の代表者が集う対策会議で協議され易く議決され易い。これらのデータ集は情報材に判り易く表示され、情報機・情報紙・統計白書等にも表示される。これらのデータ集は分析され各団体の全員が日常生活に於いて絶えず努力すべき努力目標に沿うよう全体的視野で編集されて対処集が印刷され配布される。近未来検討表の全データは近い将来は電子計算機（知能）で検討され記載されるよう構成される。【００３２】
図３(b)は過去・現在の必需材のデータを基にした略視図である。化石資源・エネルギー・環境・人口はデータで見る限り限界に向かう徴候があり食料はこれに次ぐ傾向にある。このまま「放置」されれば必需材は点線で示すように次々に「限界」をいずれ早晩超えんとする「徴候」が現れつつある。この「点線」の傾向は現在の中に「一点鎖線」で示すように「限界」に至る事前に修正できないか、これは現在の各国・各界に課せられた実に重い「課題」ではないだろうか。【００３３】
現在は正に「転換点」にあるとすれば現実の問題としてどうすれば良いかは容易に正解は発見できそうにない。ここで「点線」の直線と「一点鎖線」の曲線との間には実に難しい傾角αに相当する大きな開きがある。一体如何すればこの開きは修正できるだろうか。必需材の各々は何とか現在の中に確実に「点線」から「一点鎖線」に転換しうることは到底無理としても、少なくとも何とかその「方向性」を発見し得ないだろうか。「方向性」の実証は難しいとしても何とか理論的・データ的にに解明できるものであれば少しでも「可能性」があるかも知れない。【００３４】
必需材の各々がこのような状況に至った原因を考えてみるとそれは「人の活動」が原因していないだろうか。資源・エネルギー・環境・食料・人口の１つ１つがそのいずをとり上げて考えたにしても「人の活動」が根本にある、これは間違いなさそうだ。しかし「これを根本的に変える」ことは現在までを否定することだからそう簡単にいく筈がない。「人の活動」は余りにも範囲が広すぎる。【００３５】
その一挙変換は容易でないとすればその下位概念である「日常生活」のあり方、即ち毎日の「対処の仕方」を修正することも小さいようでも意義がある。「日常生活」は約７０億人に近い「人口」は超多数人だから各人が少しずつ必需材にとって良い方向の「日常生活」に転換しうるとすれば全体の総和として大きくなる。そのためには世界の人口は国情も言語も生活様式も異るから各国ごとに望ましいと考えられる「対処集」が編集されて各家庭に配布されれば相当の効果がある。この「対処集の編集は各国で対策会議によって行われる。先進国・発展途上国・未開発国で共通点が多ければ標準的に編集されて各国語に編集し直されても良い。（この件はＰＣＴ／ＪＰ２０１２／０７５６６７にも一部述べたが一手段と推定される。）【００３６】
「人の活動」は実は多数人の集団である組織の各々が関係している。そこで各組織はその意識の変換やもし可能ならば各組織の活動自体が可能な範囲内で少しずつ転換されることも意義がある。これは各組織の活動は経営にも関係するので難しい問題である。しかし、経営のために必需材が犠牲になるなら長期的・全体的危機に陥る。基本的にはまず組織毎の代表者や組織内の構成員が必需材に関する危機感や重要性の意識更新が重要である。各組織内で修正可能性のある事項が対策会議に於いて集中的に討議・提案されることも１手段である。必需材に関することは、例えば資源の枯渇等に関する組織ではいずれ早晩全体的な転換が成されざるを得ない。その転換は枯渇であるから早晩不可避であるが各々の事情があるので慎重を要する。大多数の組織が早期に転換を検討することは自主的であれば問題は少ない。【００３７】
そこで現在の課題は上記の意識更新が如何に成されるべきかが重要である。意識更新への１手段としては、日常生活に密着したシステムが開発されて計画的に実用化が図られることである。時間はかかるが開発の趣旨が明確に示されれば日常生活に関することなので無関心であるわけにもいかぬから早晩効果はある。システムの計画的な実用化は組織毎に実用化が指示されて定期的に例えばアンケートがとられる。日常生活のシステムは種々あると考えられるが特に限定されない。現状の各組織が活用されることは現に整然とまとまっているので混乱も少なく統制力があり代表者以下の意識更新は各従業員が各家庭の代表者（家長）であるから各々の家庭への波及的な影響力がある。【００３８】
現在の他の課題は企業等の組織に所属していない他の家庭の意識更新が如何に成されるべきかである。実は他の家庭の代表者（家長）は全て市区町村の各地域に於ける地域集団に各々所属している。地域集団は企業程の統制力や秩序は望めぬとしても団長が代表者として決められているので１種の組織としての機能を有し必要に応じて集会が開かれる。そこでこの団長や組織を通じて上記システムが実施される趣旨書が配布され必要に応じてアン
ケートを採る。地域集団に所属していない家庭に対しては市区町村の行政組織がある。行政組織は各々行政長が居て市町村会が開かれるのでやはり１種の組織である。従ってシステムや趣旨書はこれらを中心にして実施される。【００３９】
（２）＜検討体（知能）＞（実施例の２の効果）
検討体は最新技術、特に人工知能を搭載した電子計算機（知能）を活用することが近い将来可能になる。実際に実用化される段階では、その超能力が活かされるように近未来検討表の構成もそれに対応して構成しておく必要性がある。超能力を活かす最善の道である。近未来検討表は帯長状の一手段、例えばテープ状に巻取る「巻取型」に構成される。即ち多数国・多数地域の近未来検討表が連続的・テープ状に連設されて略連続処理される。近未来検討表は必要な多数国・多数地域の処理が連続的・自動的に実行されて短期間に必要な近未来検討の結果が出力されるよう構成する。これによって入力されるべき諸条件が設定され人力によって最適に構成されれば、後続する追跡データの追跡計算等も全て電子計算機（知能）によって可能になる。複雑多岐にわたる現在・近未来の難題事項等の課題に対する出力は高速・自動的に処理される。長期的で膨大なデータの保存・管理も極めて的確で行われ易く永続性がある。【００４０】
ここで重要なことは電子計算機（知能）はその時代が最大限の努力を傾注するべき目標値が出力される重要な役割は果すが、以後は各時代の人間の総意に基づき責任範囲の努力をすることが何よりも重要とされる。「人工知能」で処理すればそれで終りでなく、人力の選択された努力が成されることである。そこで前記の「巻取型検討表」は例えばインターネットに表示されて「機械指示」「議決結果」が世界中に公表される。この事の現在の可能性の程は未明であるがもし可能ならば能率の大幅な向上になる。この「巻取型検討表」は全体的な「対策会議」の協議・議決も経ているので「世界への責任範囲」の約束事として設定される。何事も課題解決には「努力」は不可欠である。【００４１】
Ａ  人力の「額に汗した努力」によって本来あるべき近未来への比較的に確定的な道か。Ｂ  「成り行き任せの日常生活の無意識・放任」の結果ある日突然「苦境」が目前に切迫するかも知れない「不都合」を含む不明・不安定な道か。これらの道の二者択一は全人類の判断である。「必需材」に関する事項は「人類の生存の維持に不可欠」な事項ばかりである。例えば「地球環境」は「人間の健康の維持・管理」とたまたま共通点が多くある。「健康を気にしない不摂生」の日常生活の無理が積り積って、包容力あり沈黙を守る臓器がある日、突然悲鳴を上げることになるとすれば常にデータに注目する以外にない。必需材・地球環境も同様で環境負荷の大きい人の生活は絶えずデータからの警告を聞き「必需材への負荷が少い生活」に切替えて維持されるべきではなかろうか。実施が可能で具体的な一例は日常生活で「目標データ」や「対処集」の指示に従うことではないかと推定される。【００４２】
（３）＜検討体(人口)＞（実施例３の効果）
本件ではデータ欄の中に予測欄・目標欄を設定して近未来を検討する一手段としたので、「世界人口」についても極力適用することを考えて開発したものである。人類の生存の維持に不可欠な必需材（資源・エネルギー・環境・食料・人口）は、そのどれもが既に限界に近く、このまま成行任せで放置されれば次々に限界を越えてしまい苦境（破綻・危機・犠牲・他）に陥る危険性がある。本件は趣旨通りＰＣＴ加盟国で現状を研究したので例えば、必需材の全体に重大な影響を及ぼす世界人口のあり方について考察した。近未来のあり方を検討する。【００４３】
世界人口は既に限界に近い徴候がデータを整理した段階で読取れるのである。現在以後は既に危険水域にあると考えられる。世界人口は近未来以降の世代のあり方に大きい影響力を持っている。必需材には絶対的な限界がある。しかし、世界人口の増大傾向は増す一方
である。このままでは近未来に大きな悪影響を及ぼす。このままではかけがえのない至宝である必需材は消耗される勢いとなるからである。従ってこの問題は現在の中に何とか対処されるべき実に深刻な現在の課題である。仮にこのまま推移すれば近未来以降が対処し切れなくなる危険性を内包している。しかし世界人口は課題が大き過ぎて現在でも対処手段の探索には苦慮してしまう。【００４４】
ところで、世界人口は根源的な原因に着目せざるを得ない程大き過ぎる課題である。世界人口の根限的課題は各国人口や各地域の人口の問題に基本的に帰結する。現在の各国人口は従来は一般に各国の自由であり「聖域」とされ敬遠され、止むを得ず成行任せや半ば放置せざるを得ない問題とされていた。【００４５】
現在まではそれで仕方なかったかも知れない。だがその結果図８〜図１０のような状況になっている。現在以降仮に「成り行き任せ」「放置」されればこの増大傾向が益々大きくなっていくと推定される。これらの「近未来検討表」に依るとＰＣＴ加盟国１１０カ国の中で現状維持ややや減少気味の国はわずかに約２０カ国に過ぎない。（図中の○印や◎印）残りの約９０カ国は増加傾向の国である。ＰＣＴ加盟国以外の全世界では現状維持・増大傾向の国は約１７０カ国もある。中でも人口増加率が３．０以上の国（回印等）は３カ国、人口増加率２．０以上の国（□印を付す）１９カ国もある。この状態が続行すればその当事国が近未来に困窮する。それだけでなく近未来、世界全体が困惑することにならないだろうかと考える。世界人口の影響を大きく受ける必需材の問題としては到底無関心では居られないのである。実は「世界の困惑」レベルの問題ではなく必需材の限界や苦境は「近未来の世界の破滅」の大危機に直結する。近未来の不都合・大危機は現在の結果とし起るとすれば近未来の責任は現在にある。現在は正に転換点にあるかと推定される。現在は先ず楽観でも悲観でもない、データに基く「正しい判断」と「合意」とが必要とされているのである。【００４６】
本件は世界人口の検討と併せて「近未来検討」の今後の歩むべき「道」を探求する。現在の世界の各国は未開発国・発展途上国（前期・中期・後期）・先進国に大別される。いま必需材に関する点からのみ考えれば、資源・エネルギー・環境にとって最も好ましいのは未開発国であって、最も負荷が大きいのは先進諸国の順に並んだ通りである。しかし、人口増大の点からみれば最も望ましいのは先進諸国であって最も不安視されるのは未開発国である。これらの悪傾向は何とかされないだろうか。必需材の点からみるとお互いに影響し合って解決されるべきだ。これらの悪循環は何とかされないだろうか。必需材の点からみるとお互いに影響し合って解決されるべきだ。そして年代が１０年・１００年・千年・万年・億年と経っていくに従って一般的に右方向に右傾するのが極く当然な見方である。人類の生活は未開発国の一部を除いて発展を続け、発展は非可逆的で後戻り不可能に近い。発展の手本とされているのが先進国の生活程度とされているかと推定される。しかし真に困ったことに一番必需材への負荷が大きい先進国の生活程度が基本的に「手本」とされている。これは人間にとって「便利」「快適」「楽である」「成長する」こと、他現在の本質的な「目標」につながると見られているからである。【００４７】
このことは人間の本質・基本的なことであるから仕方ない事、とされるにしても近未来以降は警戒されねばならない。何故なら人類の生存の維持に不可欠な必需材（資源・エネルギー・環境・他）が既に「限界」を目前にしており、世界人口はこれら必需材がそのいずれに対しても多大な影響を及ぼすであろう、からである。人類の生活程度は人間の本質上徐々に発展する。そのこと自体は結構なことである。問題は必需材への負荷が大きくなるからである。生活の発展・急成長等によりももっと重要なものがありはしないか。例えば人類は「持続的安定性「永続性」が優先されるべきかと考えられる。地球は自転を続けあと約５０億年も存続する。しかし人類が自ら「不都合の遠因」の１つを作ったことには自戒されざるを得ない。【００４８】
人類は誕生以来約４００万年生きてきたとされている。そのことが可能であったのは人類の生き方が未開発国の生き方や人類以外の動物の生き方と略変わりなく地球環境に全く順応していたからだと考えられる。しかし現在はその約４００万年の約１／４００００に相当する約１００年の間に下手をすると「不都合の遠因」となりかねない「現在生活」に変遷した。このままだといずれ早晩発展途上国の多くは先進国と同様に「右にならへ」となる。しかも発展途上国は人口も膨大であるからこのまま先進国と同様の生き方になることは危険性がある。人類は永続的に生きることが最優先されるから発展途上国も先進国も必需材永続性に向けて生きるべきである。しかし、現在人はもはや未開発国と同様の生活に逆戻りすることは不可能に近いと推定される。「現在」は必需材の点から視ると約１００年前とは異次元の負荷をもった「現在生活」に突入した。現在は現在まで歩いてきた道を虚心に振り返り極力近未来〜遠未来を見通した現在以後が長期的に本来あるべき道・新しい生き方を探索の時代ではなかろうか。【００４９】
（４）＜検討体（派生体）＞（実施例４の効果）
派生体は、前記システム開発に関する重要性の高い課題やその解決手段等の開発技術が掲載された最新技術（例えばインターネット等の情報機や情報紙）が略放射状・略核分裂状に配置されるので、少数個の最新技術を新拠点にして極めて多数個の最新技術へと転送される。この最新技術は図11（a）〜（ｃ）のように配置されたとすれば、例えば世界体を基点にして、各国材・中核材・地方材・派生材のごとく整然と広域に配置される。１例は、この多数国の最新技術は世界中または各国中に放射状・略核分裂状に整然と配置される。従って、これらを拠点にしてシステム開発は重要性の高い課題やその解決手段等が整然とその出所が何時でも確認され易く、明確で、責任を伴って統一的に整然と広域にわたって流布される基盤が構成される。【００５０】
派生体はさらに、上記の最新技術（インターネット等）を中核としてシステム開発の重要な課題や開発技術が一定以上の理解を経て極めて広域に流布されるべき運用の施工法・循環方法が法制化された法制集を含む法制装置を有する。この法制装置は上記のように略核分裂状に配置された多数の関係者や住民が多数個のグループに区分けして届け出られ仮決めされる。このグループは例えば市区町村の集団・企業・組織・親族・近所等が代表者を中心にして区分けされ、または現状の小集団が届け出られ、各々は循環番号が付される。【００５１】
次に、現在の難題事項（種々を含む）が実際に適正に検討・理解を経て循環される循環過程が繰返される方法について説明する。例えば世界体から循環が指示された現在の課題等の難題事項はインターネット・情報紙に掲載されて各体に循環が指令される。各国体はその難題事項を入念に検討し適正に理解して都道府県の中核材の最新技術（情報材等）に転送される。その代表者に難題事項の開発趣旨・ポイント・注意事項・他を説明・仮指導を行って、循環第１課程を実行する。中核体の代表者は次に地方体の地方材に難題事項を転送し循環第１過程と略同様の循環第２過程を実行する。地方体の市区町村の代表者は多数人に構成されるから最新技術（インターネット等）を備えた会議場等において説明・仮指導を行い循環第２課程を実行する。更に第３課程は派生体の代表者が集い同様の実行をする。【００５２】
（５）＜検討体（改良体）＞（実施例５の効果）
現在・近未来の社会は複雑に構成されており内包する課題も複雑であることが多い。また現在・近未来以後の課題に対抗して開発された一連のシステム開発の内容や法制装置も単純なものとはなりにくい場合が多い。従ってこのようなシステム開発自体やその実用化に関する法制装置は当初の状態のままでは実体に沿わないこと、あるいは場合によっては実用・他に支障が出てくることもありうると推定される。これらが放置されればかえって実用化されにくい場合もでてくるので改良が必要になってくる。しかしシステム開発は正当
と考えられたから開発されたものであり、法制装置は当初に於いて正当な理由があって規定されたものである。従ってその改良は、それら以上の正しい理由のある条項や正しい要旨がなければ認められないから極めて慎重に検討されなければならない筈である。仮に改良が再びくつがえる改良取消や改良の再改良の必要性が生じることもあれば無駄は避けられないからである。【００５３】
しかし人間が作成したシステム開発や法制装置はわずかなミスや不完全が全く無いことは難しく実用段階等新しい段階で初めて改良必要と気がつく場合もある。【００５４】
人は完全でなく人が作る創作も完全無欠なものは望み薄いと考えざるを得ない。従ってシステム開発等は関係者の全員の眼に露らされて全員も参加しうる提案等を基に協議・議決して次第に現実に測したより良いものにする機会が開かれる方が好ましいと考えられる。建設的な提案であれば関係者のみでなくより広く検討される機会が与えられる。改良要望や提案が無い場合は元の開発は認められたと解釈される。【００５５】
改良要望や提案は図11のようにインターネットの派生材・地方材から中核材・各国材の経路を経て世界体で受付される。これらは世界体で各国の代表が出席した対策会議で審議され採用の是非が議決される。採用が是と議決されたものはインターネット等の情報材に表示されて関係者に通知される。【００５６】
例えば上記のインターネット等の情報材が略放射状・核分裂状に配置され情報システムは日常生活や諸種の活動の課程で考えられた簡単な発明・アイデア・工夫が最新の届け日の記録・仮登録・補充が簡単なシステムとして活用される可能性もある。これは現在既に実用化されている電子出願よりも更に経済的で一般大衆用に諸手続きが簡単に構成される。出願人の要望によって審査・権利化の課程で現在の特許制度への組み込み・編入が簡単に行えるよう構成されても良い。難しい点は検討を要する。【００５７】
（６）＜検討体（節電体）＞（実施例６の効果）
一般に電力消費は市・町・村等に於ける建物（ビル）で使用する電力消費と、個々の住宅に於ける電力消費と、工場等産業施設で使用する電力消費と、がある。ここでは産業施設の一部にも所属する一般の建物で使用する電力消費について検討する。現在の建物（ビル）は小〜大の都会の夜景に示される如く全室が昼間と略同様に明るい照明と全室の暖冷房が完備している。しかしこのために市・町・村の全体では止むを得ず相当の電力が消費されていた。ところでこれらの施設は建物自体が高度なことは好ましいが電力消費に相当の問題があった。建物（ビル）内の各階は建設や使用都合で独立的でなく略共通的に建設されていること、各室の電源系統が略独立的に切換可能なものは少なかったからである。しかも、各室は使用時のみにＯＮまたは明にすることを定めた法制装置が無く統一的な構成でなく「略自由」・「成行任せ」・「放置」に近い単なる「節電」の呼びかけ程度だった。「節電」は苦痛で徹底されにくい。【００５８】
電気は明るく便利で快適で不可欠だが大電力供給のエネルギー資源（石油・ウラン）等天然ものは約１００年内に枯渇して一切無くなる。石炭も約190年で枯渇する。また再生可能エネルギーは大電力供給が難しく設備投資が大変でコスト高である。さらに核融合の展望は未だ無く難解な問題だ。他方では各国とも電力消費量は増大一方で電力を消費する世界人口は増大一方の傾向が増しつつある。しかも近未来以降は広大な土地、あふれる日光・多大な人口の未開発国・発展途上国（前期・中期・後期）は年代が進むに従って電力消費量は増大一方の傾向が厳しさを増すからである。加えてこれらの資源消費・人口増大・社会発展はどれも皆全て変動後に復元しにくい非可逆性を備えている。この傾向が続くと近未来は遠からず限界を越えて苦境に向う。限界や苦境（破綻・危機・犠牲・他）に至っては測り知れない破滅に向う。現在・近未来以降は正に解決困難な問題に直面している。
しかし少なくとも解決の方向性は現在の中に発見されるべきだ。注意すべきは「現在」の全面否定は傷跡大きいから極力部分改良が必要である。【００５９】
節電体は請求項７のように構成したので、略同一構成のビル内の電力消費は空間区画・電源区画が法制装置に沿う構成の調節機構付の設定設備の活用によって統一的に極短時間のみＯＮまたは明に構成される。これにより市・町・村の全ビルは略統一的節電と極力徹底した電力消費の削減が可能になる。節電体のかかる構成は従業員の家族・親族を含む関係者の意識更新を通じて波及効果があるから各住宅も装置さえあれば統一的節電の可能性がある。革新を期すのであれば従来のように単なる呼びかけに終る節電のみでなく法制装置に沿って構成された設定設備によって当初から徹底した対処の方が統一的な効果があり時代の要請に沿う。
【図面の簡単な説明】
【００６０】
【図１】図１は現在に於ける必需材の特異状況を示す図である。
【図２】図２は石油資源の消費と氷床の変動を示す図である。
【図３】図３は必需材の徴候と限界を示す図である。
【図４】図４は両制御体の連携の１例を示す図である。
【図５】図５は近未来検討表の１実施例を示す図である。（実施例１）
【図６】図６は近未来検討表の他の実施例を示す図である。（実施例２）
【図７】図７は世界人口推計の１例を示す図である。（実施例３）
【図８】図８は検討体（人口）の１例を示す図である。（実施例３）
【図９】図９は検討体（人口）の他の１例を示す図である。（実施例３）
【図１０】図１０は検討体（人口）の他の１例を示す図である。（実施例３）
【図１１】図１１は派生体の１実施例を示す図である。（実施例４）
【図１２】図１２は改良体の１実施例を示す図である。（実施例５）
【図１３】図１３は節電体の１実施例を示す図である。（実施例６）
【図１４】図１４は近未来検討表の他の実施例を示す図である。（実施例７）
【発明を実施するための形態】
【００６１】
人類の生存の維持に不可欠な必需材（資源・エネルギー・環境・食料・人口・他）が波及的な限界を越えて苦境（破綻・危機・犠牲・他）に陥る事前にその回避を極力図り望ましくは持続的安定への基盤を目標にその一手段を図るという目的を、該必需材に関する過去・現在の実績データや近未来の予測データの整列・分析による総合的・根源的な検討用の検討手段を具備し、該必需材が長期的に本来あるべき目標データの検討を図って最新技術（電子計算機・インターネット・他）に対応して構成された検討装置と、該目標データが遂行されるべく最新技術（情報機・情報紙・他）の配置・掲載・表示により該遂行に必要な諸条件の検討を図って近未来以降の実体の目標データが目標欄に掲載され長期的に本来あるべき近未来の実体が検討される実体装置と、望ましくは人工知能によって近未来の検討が略自動的・連続的に成されてより的確・迅速・大量処理が可能に構成された電子計算機（知能）と、を具備して組み合わせ、該必需材の制御・適性化・維持を図ることを目標として、上記目的の実現の一手段を開発したものである。
【実施例１】
【００６２】
＜検討体＞
現在・近未来以後が遂行すべき検討体による近未来検討の１実施例について図を参考にして以下に説明する。図５は検討体の近未来検討表の１実施例を示す平面図、図６は近未来検討表の他の実施例を示す平面図、図１１は検討体の１実施例を示す略視図である。またＰ００は検討体、Ｐ１０は近未来検討表、Ｐ２０は検討対象欄、Ｐ２１は検討番号欄、Ｐ２２は名称欄、Ｐ２３は勧告欄、Ｐ２４は年代欄、Ｐ３０は必需材名欄、Ｐ３１は予測欄、Ｐ３２は目標欄、Ｐ３３は再目標欄、Ｐ３４は追跡欄、Ｐ３５は識別欄、Ｐ３６は必需
材、Ｐ４０はデータ欄、Ｐ４１は予測データ、Ｐ４２は目標データ、Ｐ４３は再目標データ、Ｐ４４は追跡データ、Ｐ４５は実績データ、Ｐ４６は識別表示、Ｐ５０は必需材、Ｐ５１は資源、Ｐ５２はエネルギー、Ｐ５３は環境、Ｐ５４は食料、Ｐ５５は人口、Ｐ６０は最新技術、Ｐ６１は情報機、Ｐ６２は情報紙、Ｐ６３は電子計算機、Ｐ６４は電算記号、Ｐ６５はインターネット、である。【００６３】
検討体は現在の深刻な世界的課題である検討対象をその根源である各国名、各地域名に実績・予測データを表示する予測欄と、生存の維持に不可欠な必需材が長期的に本来あるべき目標データを表示する目標欄と、を対照的に掲載して各国毎、各地域の必需材を検討する近未来検討表を構成する。該近未来検討表を情報機・情報紙に掲載して、各国・各地域が各年代（例えば５〜１０年）に鋭意遂行すべき目標データを各種のデータ欄が整然と並べて掲載された検討表の中で具体的に明確化する。これにより各国・各地域・各年代が努力すべき各々の責任範囲を明確に設定し、仮に「成行任せ」「放置」されたならば近未来以降に該必需材が次々に限界を超えて苦境（破綻・危機・犠牲・他）に陥りかねない極めて危険な事態を事前に現在以降の鋭意努力によって回避し、近未来以降が持続的安定への基盤を構成する一手段を図らんとするものである。【００６４】
最初にまず近未来検討表Ｐ１０の１実施例について以下に説明する。近未来検討表Ｐ１０は例えば図５に示すように検討対象欄Ｐ２０と、必需材名欄Ｐ３０と、が各々縦長方向と、横長方向に配設され、それら各欄の直交する中央部にはデータ欄Ｐ４０が配設されている。検討対象欄Ｐ２０は例えば各国・各地域の名称が掲載されるべき名称欄Ｐ２２と、その名称を端的に表示すべき検討番号欄Ｐ２１と、検討されるべき年代を表示すべき各年代欄Ｐ２４と、が配列されて構成されている。【００６５】
また、必需材名欄Ｐ３０には、必需材名が並べて掲載されている。必需材名とは、例えば人類の生存の維持に不可欠な資源Ｐ５１、エネルギーＰ５２、環境Ｐ５３、食料Ｐ５４、人口Ｐ５５、他等である。それ以外にあるとすれば随意、各々の欄を設けるが新たな追加の近未来検討表Ｐ１０を設けて検討可能とする。これらの各欄には過去の実績データＰ４５と、近未来の予測データＰ４１と、を含んで構成される予測欄Ｐ３１が掲載される。予測データＰ４１と、過去の実績データＰ４５の増減率がそのまま推移するとすれば近未来に当然このように予測されるデータのことであり電子計算機等で機械的に算出され掲載される。【００６６】
この予測欄Ｐ３１と対照的に目標欄Ｐ３２が並べて掲載される。目標欄Ｐ３２とは近未来の目標データＰ４２が表示される欄である。目標データＰ４２は下記のように設定される。目標データＰ４２は予測欄Ｐ３１に於ける過去・現在の実績データＰ４５と、それらの増減率で計算された近未来の予測データＰ４１を入念に検討する過程に於いて近未来以降ではこのような予測データのように必需材Ｐ３６が推移すればいずれ早晩限界を越えて苦境（破綻・危機・犠牲・他）に陥りかねないと推定される場合が多々ある。現在は正に必需材の全てに対策が必要である。【００６７】
しかしながら、このような場合に現在までは成り行き任せ・放置をされても仕方なかったかも知れない。必需材Ｐ３６のデータがまだ限界までに至らず少しは余裕があったと解釈された時代であったかもしれない。しかし、現在・近未来以降は今までとは状況が異なる。（このことはＰＣＴ／ＪＰ２０１２／０７５６６７で詳述したのでここでは割愛する。）さらに必需材Ｐ３６はどれでも難題多く規模が大きいので対策が採られても成果は出にくく相当の遅れがでる。従ってこの遅れは仕方ないので見込まざるを得ない。【００６８】
この遅れを考慮して過去・現在の実績と近未来の予測と、を入念に検討していく。これらの各時代の実体が即座に明確に把握され易く検討が的確に行われ易いように、各年代のデ
ータが縦方向に整然と規則的に整列された各々の欄を横方向に整然と整列された近未来検討表Ｐ１０を構成する。そしてこれら各欄が直交する略中央部にデータ欄Ｐ４０が配設されている。近未来検討表Ｐ１０は近未来の検討の基盤となるものである。【００６９】
次に、近未来検討表Ｐ１０の活用について情報機Ｐ６１等との関連性を説明する。近未来検討表Ｐ１０はまず、対策会議・検討会等において個人がまずあらかじめ検討用の原稿書き・メモ書き・検討等に活用され、個人・複数人、会議用の便宜が図られる。近未来検討表Ｐ１０は電子計算機Ｐ６３による検討・記載が可能に構成される。必需材Ｐ３６の全てについて１枚の用紙に掲載されるものは、例えばＡ３・Ｂ４の用紙でなければ掲載されることは困難であると推定される。追跡欄Ｐ３４・再目標欄Ｐ３３も掲載されにくく、データの原稿用・メモ書き用にも適用されにくい。そこで、この不都合を解決する為Ａ４・Ｂ５の用紙への掲載が適用される。（図６）【００７０】
この場合は必需材Ｐ３６の全てについて同一型の検討表例えば６枚の検討表が構成されて、個人・複数人・会議用の検討のためには６枚の検討表が帯長に配列され比較対照・検討用の便宜が図られる。ここで、データ欄Ｐ４０の各記載行は統一的に横方向に横一線に並設され、各記載行には共通の年代欄Ｐ２４が適用されるので極めて比較対照・検討が行われ易い。また特に問題があって注目して検討されるべき必需材Ｐ３６についてのみ集中的に帯長状に並べて検討することが可能である。検討は最も比較対照・検討に最適である様に構成・配列して多数人・多数回の便宜、及び電子計算機Ｐ６３による記載や読み取りの便宜を図って構成される。【００７１】
また、近未来検討表Ｐ１０は各種の情報機（例えばインターネットＰ６５）に略適合して構成される。近未来検討表Ｐ１０は単に電子計算機Ｐ６３等の出力書等の印刷物であれば個人・複数人・会議に於ける検討用の便宜が図られる。会議以外の時に複数人の検討用には同一の印刷物が複写されてＦＡＸまたは郵送されねばならぬ。しかし、インターネットＰ６５等の情報機Ｐ６１に適合して構成されていればそれらの画面に表示されるので必要な時に何時でも多数人が確認・把握することができる。例えば必要に応じてプリントアウトできる。従って何処に居ても多数人が即座に画面や出力書に於いて確認できる。特に会議の前後や会議に於いて複数人が同時に必要なデータ欄Ｐ４０を拡大・縮小が可能でクローズアップ、または総合的に確認でき、即座にデータの修正もできる。以上、総合すれば近未来検討表Ｐ１０は電子計算機Ｐ６３やインターネットＰ６５等に全体的に適合して構成されることは不可欠である。それによって相応の効果を挙ることができると推定される。【００７２】
上記の近未来検討表Ｐ１０は近未来を入念に検討せんとする対策会議や検討会や関係者や社会一般の人々がまず視覚によって即座に正確に実体を把握可能に構成される。そのために各年代のデータは縦方向に並べて表示され、予測欄Ｐ３１・目標欄Ｐ３２・追跡欄Ｐ３４・再目標欄Ｐ３３のデータ欄Ｐ４０は統一的な年代で比較対照して確認・把握され易いように帯長状に整然と整列して配置されている。（図５図６）【００７３】
また、各々の必需材Ｐ３６は例えば資源Ｐ５１・エネルギーＰ５２・環境Ｐ５３・食料Ｐ５４・人口Ｐ５５、他等のデータ欄Ｐ４０がそれらの予測欄Ｐ３１・目標欄Ｐ３２を各々含んで横方向に各年代にデータが表示されるよう帯長に整然と整列して把握され易く配置されている。（図5・図6）これによって必需材Ｐ３６の全てのデータ欄Ｐ４０が一挙に略統一的に共通して表示されるので比較対照して的確に検討可能になると推定される。各々のデータ欄Ｐ４０は各年代に共通した記載行を備えるので的確に検討されると推定される。【００７４】
このように折角すべての欄が整然と整列されて全てのデータ欄が整然と整列して配置され
て全データが規則正しく視覚に読み取られ易く配置されていても記載字が手書きであれば読み取りにくく的確に確認されにくくなる。手書きでは誤字・脱字・不正確が起こり易いし、小さなデータ欄Ｐ４０の各行には記載されにくく記載の労力大きく非能率である。ここに電子計算機による活字記載は必須要件となる。電子計算機が正確さ・確認し易さ・能率抜群・小欄記載には不可欠で近未来検討の正確さ・容易さ・能率にも大きく影響するから絶対的な要件となる。近未来検討表Ｐ１０は電子計算機Ｐ６３・インターネットＰ６５に対応して構成される。【００７５】
近未来検討表Ｐ１０は全ての主要な欄及び各年代に電算記号Ｐ６４が付されたのでデータ欄Ｐ４０の各記載行は電算記号Ｐ６４の集合によって代表表示が可能になる。データ欄Ｐ４０の各欄はすべて同一の大きさの矩形で表示され、各欄の各行は全て同じ大きさ、同一の間隔で表示されるので、各行は電子計算機Ｐ６３での記載が可能になる。なお、この各行には薄い線が表示されたものは原稿用紙としてあらかじめ手書きで仮記入することもできるから打合せ・会議の原稿になる。【００７６】
近未来検討表Ｐ１０への機械記載は電子計算機（知能）によって成され近未来検討も人工知能によって成されると格段と便利になる。このことが可能になれば的確さ・高速処理・大量処理が可能となるから、例えば代表的な１カ国または国連等に１台の電子計算機（知能）が設置されるのみで世界各国や各地域の近未来検討が格段に進む。このことは近未来以後に於ける必需材の限界・苦境が回避される可能性もあると推定される。【００７７】
ここでもう一度「検討体」の構成と開発の趣旨について整理しさらに考察する。上記したように、近未来検討表Ｐ１０は個人・多数人の視覚・確認・検討用に適合し、電子計算機による機械記載や読取り用に適合し、インターネット等の情報機により表示用に適合し、必需材Ｐ３６等多数（例えば６項目）の並列一挙検討用に最適に構成される。また多数の年代に於けるデータの一挙検討用に最適に構成され、併せてデータの原稿書き・メモ書きも可能に構成される。そこで、人類の生存の維持に不可欠・不可分な必需材（資源・エネルギー・環境・食料・人口・他）等の現在・近未来以降に於いて長期的に本来あるべき目標データＰ４２を掲載用の目標欄Ｐ３２が、過去・現在の実績データＰ４５とその増減率から近未来に予測される予測データＰ４１を掲載用の予測欄Ｐ３１とが対照的に配置される。【００７８】
これによって過去・現在の実体と併せて近未来に本来あるべき目標データＰ４２がデータ欄Ｐ４０の中に各国毎または各地域に、しかも年代欄Ｐ２４（例えば数年〜約１０年）毎にデータとして具体的な目標として設定される。従って、必需材Ｐ３６はこのように各国毎または各地域に、しかも各年代に鋭意努力すべき責任範囲が明確化される。今まで過去・現在に於いて「成り行き任せ」「放置」され全く自由であったものが責任範囲として明確化され具体的に「努力」が強要されるのは確かに「自由」に比べれば相当の努力を必要とする。中には、あるいは時代によっても相当に厳しい「努力目標」は、今まで「全く自由」であった過去に慣れた人類にはかなり、苦労を要する。「努力目標」は現在は止むを得ず努力を要するであろう。しかし問題は歴史的に「今までの過去」が余りにも恵まれ過ぎていた時代であったと解釈される。【００７９】
例えば、図３（ａ）に示すように、または本件の明細書の冒頭の各欄にも詳述した通りに「全く自由」であったがために現在の状況あるいは実体はどうなったであろうか。世界人口は爆発的なまでに急カーブの異常な激増の状態にある。このまま「成行任せ」「放置」に任せれば８０億〜９０億〜１００億と激増が続くと予測されている。この傾向を抑制する具体的なものは現在のところ全く無いのである。また、エネルギー消費量・国民総生産は１９世紀に右肩上がりの急激な伸びの一途にある。さらにＣＯ２の濃度も１９世紀中ごろから異常な急増の傾向にあり、平均気温も上昇傾向にあり氷床が融解しつつある。石油
資源の消費は厳しく４０数年後に枯渇する。長期的に本来あるべき近未来以降の開拓と人類の永続的な生存の維持には各国・各地域・各年代に「自戒の枠」が人類自らの手で厳しく遵守されることがデータを視る限り不可欠であり、現在までのところではこれ以外に道は極少と考えられるからである。
【実施例２】
【００８０】
＜検討体（知能）＞
図（ａ）6は検討体（知能）の近未来検討表の１実施例を示す平面図、図6（ｂ）は近未来検討表の他の実施例を示す平面図、図11は検討体（知能）の他の実施例を示す略示図である。また各部の名称は実施例１＜検討体＞と大部分が略同一であるので紙面の都合で省略する。なおＲ００は検討体（知能）、Ｒ１０は近未来検討表（個別）、Ｒ２０は近未来検討表（総合）、Ｒ３０は電子計算機（知能）、Ｒ３１は近未来検討表（知能）である。【００８１】
検討体（知能）は現在の深刻な課題である検討対象の名称をその根源である各国名・各地域名に表示する予測欄と、生存の維持に不可欠な必需材等の長期的に本来あるべき目標データを表示する目標欄と、該目標データの以後の追跡データを表示する追跡欄と、その他必要な各欄と、を対照的に配置して電子計算機で記載・読取が可能で、主要な各欄に記号を付して全データ欄を記号表示も可能にして電子計算機の処理が可能で検討しうる近未来検討表（個別）を構成する。【００８２】
近未来検討表（個別）はその複数枚を帯長状に接続して複数の課題対象を総合的に各年代に共通して検討可能で電子計算機で連続的に略自動的に機械記載・機械読取が可能な帯状の近未来検討表（総合）を構成する。近い将来に於いては最新の電子計算機（知能）に必要な要因や条件を入力すれば人工知能によって近未来検討が可能で電子計算機（知能）Ｒ３０により機械記載されて結論が出力可能に構成される。複雑かつ変化やスピードの早い現在及び近未来以降の時代に対応するよう構成される。【００８３】
近未来検討表（個別）Ｒ１０はその１例で名称欄Ｐ２２・年代欄Ｐ２４が縦長に配設される。横方向は検討対象、例えば例えば必需材等の中特に個別に検討されるべき、例えば「人口」等が表示される。これら各欄が直交する略中央のデータ欄Ｐ４０には前記予測欄Ｐ３１、目標欄Ｐ３２と対照的に目標データＰ４２の以後の追跡データＰ４４を記載用の追跡欄Ｐ３４や再目標データＰ４３が記載されるべき再目標欄Ｐ３３が整然と配設される。主要な各欄は全て電算番号Ｒ３１で表示される。図６（ｂ）は近未来検討表（総合）Ｒ２０の１実施例で近未来検討表（個別）Ｒ１０が必要な枚数帯長状に接続して構成される。初期は貼付されるが将来は電子計算機（知能）Ｒ３０によって機械記載され、かつ機械読取も可能に構成される。帯状の近未来検討表（知能）Ｒ３１と電子計算機（知能）Ｒ３０によって近未来は検討が的確・高速・大量に成されて結論が出力される。１カ国や国連に電子計算機（知能）Ｒ３０一台設置され条件設定のみ入力で成されれば全世界、各国、各地域の近未来が人工知能によって検討可能となるだろか。
【実施例３】
【００８４】
＜検討体（人口）＞
図８は検討体（人口）の近未来検討表の１実施例を示す平面図、図９は近未来検討表の他の１実施例を示す平面図、図１０は近未来検討表の他の１実施例を示す平面図、図１１  は検討体（人口）の他の１実施例を示す略視図、図７は検討体（人口）の世界人口推計の状況を示す図である。また各部の名称は実施例１＜検討体＞と大部分が略同一であるので書面の都合で省略する。なおＳ００は検討体（人口）、Ｓ１０は近未来検討表（人口）である。【００８５】
検討体（人口）は必需材の全てに重大な影響力があり既に限界の領域にある現在の深刻な
世界的な課題である世界人口に関し、その課題の根源である各国・各地域（各家庭毎）各年代毎等の根源対象の責任範囲を、対策会議で協議・議決された長期的に本来あるべき目標欄に掲載の目標データの遂行を図るべく、必要な各欄が対照的に配置された近未来検討表（人口）の目標欄の中に明確化して設定される。この近未来検討表（人口）は電子計算機で機械記載・読取も可能に形成されインターネット等の情報機や情報紙に表示可能とし、広域の意識更新も図られ目標データの鋭意遂行が図られる。これによって現在の最も深刻な課題の１つでありかつ必需材の全体や現在・近未来以降に重大な影響を及ぼす難題の１つの解決を図るものである。なお、近い将来は人工知能の活用によってより的確・高速・大量の処理を可能にする。【００８６】
検討体（人口）Ｓ００に於ける近未来検討表（人口）Ｓ１０の構成は実施例１の＜検討体＞の予測欄Ｐ３１に過去・現在の実績データや予測データＰ４５等が電子計算機Ｐ６３によって機械記載される。（図５・図６）この予測欄Ｐ３１への記載が検討され諸種の要因が検討されて長期的に本来あるべき目標データＰ４２が各年代毎に設定される。目標データＰ４２は電子計算機Ｐ６３によって機械記載されて近未来検討表（人口）Ｓ１０が構成され、極力情報機（インターネットＰ６５）に表示される。これによって広域の意識更新が図られ、近未来の課題への１手段が図られる。【００８７】
近い将来には検討体（人口）Ｓ００は最新の電子計算機（知能）Ｒ３０によって人工知能を活用した近未来検討が成されると推定される。より的確・高速・大量処理が可能になると推定され、世界人口の近未来検討や各国人口・各地域の近未来検討も可能になる。人口問題の人々の鋭意遂行は責任範囲の遂行のみでよく解決も夢ではない。【００８８】
実施例の検討体（人口）Ｓ００は、世界人口を例にとってその根源的原因である各国・各地域・各年代にデータ表の中で根源策用に実行の精度を具現化し、責任範囲を明確にして実現・実行の成果が何とか上るよう構成されている。このために近未来検討表（人口）は請求項４に掲載の各欄が対照的に配設されている。詳細な説明は請求項４の掲載で自明であるから割愛する。近未来検討表は各欄が対照的に配置されることによって対策会議等による多人数の協議・議決の便が図られる。各欄の配置は多数項目・多数国・多数地域・多数年代のデータの検討であるから対照的に整然と整列される。さらにまた、近未来検討表自体（人口）Ｓ００自体やデータ等の機械記載・機械読取の処理が的確・高速・大量に可能になる。これらのことは人口問題に限定されることなく必需材のその他の項目への適用も可能になると推定される。【００８９】
また、上記の応用は、諸種の人間活動に於いて解決困難な難問に直面した場合に、もしデータとして把握できるものであれば、その根源的な解決に向けて過去の実績データ、近未来の予測データを検討しつつ長期的に本来あるべき近未来の目標データを諸種の要因と併せてその目標データの遂行に向けて各年代毎に設定して動けば、初期の解決困難な難問は自ら解決に向かうと推定される。人間の活動は全て、過去・現在・近未来へと密接な関連性を備えて成立っている。これらのデータをデータ表の中に対照的に設定し、目標データを設定することである。目標データＰ４２は対策会議等に於いて複数人・多数人による確認・協議・合意・議決がどうしても必要である。そのためには他の関連データの各欄との比較対照が不可欠である。また、目標データＰ４２は電子計算機Ｐ６３によって機械記載・読取り可能に構成されるには定型の各欄が対照的に配置されていれば便利である。予測データＰ４１は単なる近未来予測であるが、目標データＰ４２は少しでも能動的・積極的に難問解決に向けて目標達成に努めることになる。【００９０】
「人も、人の集団も間違い易い動物である」とされている。人は諸種の都合があり、利害で動き易く、安易に流れ易く、成り行き任せになりがちで、つらい努力を好まない。行動や活動の枠を設けることが苦手で、現在が優先され近未来を意識しない。全て自由を好む
。これは人情であり人間の本質であり、弱点でもある。この弱点は何とか解決できないだろうか。人の集団はその数倍の規模になり勝ちである。現在まではそれで何とか通った時代もあった。しかし現在以降ではそういう現在最優先は通用しなくなった。例えば人類の生存に不可欠な必需材がどれも限界に向かっており、その先々は真に苛酷な前記苦境が待っている。枯渇目前の資源・エネルギー・環境を前に電力消費は拡大一方で世界人口は激増中である。これらの流れを止め、抑制する手段が無いとすれば近未来は苦境になる。【００９１】
「人も、人の集団も自ら歩んでいる道が何処に通じるか意識しなくなっている。」とすれば近未来は一体何うなるか。この道がどんな道かを客観的に示すのはそのデータではなかろうか。そうであればデータ表の中に長期的に本来あるべき望ましい「時代の枠」を自ら設けるべきだ。この枠に相当するものが「目標枠の目標データ」がその１例である。そしてこの枠を遂行すべく各時代は努力すべきだ。この枠が「現在以降利用可能性」があるか否かは各時代が自ら決定されるべきである。少しでもより良い近未来を後世に残すにはこの枠は最低限の規制である。なおこの「枠は責任と権威のある対策会議で設定され議決されるべき」事項である。それによって目標データの意義があり、各時代は目標データの遂行に向けて動くことが可能になる。【００９２】
本件の検討体は近未来検討が世界の各国・各地域に於いてそれらの状況は略同一であるから相当大量の処理が必要になると推定される。近い将来、最新の電子計算機、例えば人工知能を搭載した電子計算機（知能）によって処理が可能であるとすれば、その処理能力は優れているからより的確・高速・大量の処理が可能であり最適である。そのためには電子計算機（知能）へ入力されるべき諸種の条件がどのように決定されるべきかが重要である。この条件はあらかじめ先ず人力によって実際に処理される期間を設けてデータをとり、そのデータの分析によって決定されるべきである。仮に近い将来に電子計算機（知能）によって近未来検討が可能になった場合は、１台の電子計算機（知能）が設置されるだけで世界中の各国・各地域からの受注を受けて近未来検討が可能になれば、略自動的・連続的な処理に対応しうるように近未来検討表は帯長状に構成される。近未来検討は流動的に処理されるからその機械記載・読取り及び近未来検討は高速・大量処理が可能になると推定される。最新技術の組み合わせによって各時代が常に近未来を検討しつつ先行的に誘導されることが可能になれば、人の弱点の１つである「間違い易さ」が時代的に是正される可能性がある。このことは「人の弱点」が「最新技術」の助けを借りて少しでも解決されることになる。
【実施例４】
【００９３】
＜検討体（派生体）＞
図１１（ａ）は派生体の１実施例で最新技術（情報機・情報紙）の配置状態示す略視図、図１１（ｂ）は派生体の他の実施例（例えば数年後）の状態を示す略視図、図１１（ｃ）は派生体の連携状態を示す略視図である。またＮ００は検討体、Ｎ１０は派生体、Ｎ１１は最新技術、Ｎ１２は情報機、Ｎ１３は情報紙、Ｎ２０は世界体、Ｎ２１は各国体、Ｎ２２は中核材、Ｎ２３は地方材、Ｎ２４は派生材、Ｎ３０は難題事項、である。
図１１（ａ）〜（ｃ）に示すように派生体は１つの最新技術を中心に幾つか多数の最新技術に分かれるように例えば略放射状・略核分裂状に配置される。略核分裂状とはウラン等が次々に核分裂反応を起こす「連鎖反応」を示し、これに似て最初の設定さえ適正に成されば以後、略自動的・連続的に同じような動作が繰り返えされる。年月の経過とともに多数の派生物が生成され所期の目標が達成される作用と同様に、難題事項N３０のより深い理解者が年月の経過と共に増大されるよう構成される。【００９４】
現在は複雑に構成されているので難題事項Ｎ３０も多々あるが、そのことへの理解者の数が増大することが至上命題とされる場合もある。この場合にこの難題事項N３０は書物等に記載された場合はそれを熟読することである。しかし熟読のみではその理解が個人的・
受動的で深浅は人によって非常にバラツキが生じ意欲の差も大きい。また書物は頁数が大きい場合は全体を熟読する時間・労力がかかり強制も難しい。そこで理解が要請される人々は多数のグループに設定される。最初の起点に相当する第１グループに於いて充分な理解が得られたならば、そのまま終わるのは惜しい。【００９５】
従って、この場合収得知識のポイント・奥義が第２グループに拡大図や説明行を明示して言葉・視覚・聴覚の助けも得て理解され易く説明される。特に重要な頁や行も明示され説明者の感想も述べられる。これにより第２グループの熟読や理解の程度・深みも増しバラツキが少なく能率も良くなり所要時間も短くなると推定される。しかも第２グループへの説明・仮指導を行うとすればそれなりの深い理解も必要であり能動的な知的伝達であるから一読のみよりはるかに深みが増す。書物は長文でも複数の担当者が区分けして説明・仮指導等に当たることができ全員に効果が及ぶ。これが第３グループ以下に続行されれば全グループ毎に同様の効果が及ぶ。これにより現在の難題事項Ｎ３０への理解が略自動的・連続的に増せば全体的に現在の難題事項Ｎ３０への一手段になり好ましい。
【実施例５】
【００９６】
＜検討体（改良体）＞
図１２（ａ）は改良体の改良検討表の１実施例を示す平面図、図１２（ｂ）は改良体の１実施例の構成を示す略視図、図１２（ｃ）は改良体の他の実施例の構成を示す略視図である。またＱ００は検討体、Ｑ１０は改良体、Ｑ１１は改良検討表、Ｑ１２は検討番号、２０は現状枠、Ｑ２１は現状項目、Ｑ２２は現状要旨、Ｑ３０は改良枠、Ｑ３１は改良項目、Ｑ３２は改良要旨、Ｑ３３は新規評価、Ｑ４０は追跡枠、Ｑ４１は追跡要旨、Ｑ５０は法制装置、Ｑ５１は法制材、Ｑ６０は最新技術、Ｑ６１はインターネット、Ｑ６２は情報紙、Ｑ７０は電子連携網、Ｑ７１は発明バンク、Ｑ７２は電子出願である。【００９７】
改良体は現在・近未来以降の課題に対抗して開発されたシステム開発に関する技術の修正・補充・改良をインターネットを活用して収集を図るものである。このために配置された最新技術の配置・経路を活用して諸種の発明[日常生活の中で考えられる新しい発明やアイデアや簡単な工夫]は随時・都合のつく時いつでも極く簡単な手法や手続きと極経済的な経費により極めて広域から諸種の情報収集を可能に構成する。そこで簡単に情報収集・交換が可能な現在の情報手段であるインターネットによって情報の登録・保証、その他必要な機能を補助可能にする。現在や近未来以降の時代の要請に対応した新機能の一端の可能性の検討を図らんとするものである。【００９８】
改良体のＱ１０はインターネットＱ６１等の情報機が世界体や各国体を基点にして略放射状・核分裂状に配置され、世界全体あるいは各国全体に整然と情報伝達が可能なように連携して構成される。通常は上記基点の情報が中核材Ｎ２２・地方材Ｎ２３・派生材Ｎ２４に各々電子連携網Ｑ７０で即座に地方の大衆に整然と伝達される。改良体Ｑ１０はこの情報連携の経路を通じて、新技術に関する発明や日常のアイデアが整然と例えば各国体Ｎ２１等の基点に収集されるよう構成される。場合によっては特殊な技術開発に関する課題への発明等が電子連携網Ｑ７０を通じて募集される。電子連携網Ｑ７０では募集に応じた発明等の記録が残るので後日のために好都合である。改良体
Ｐ１０は現行の電子出願Ｑ７２（特許庁）の極く簡単で経済的な手続きの１手段とならないか検討を要する。例えば簡単な発明バンクＱ７１とならないだろうか。発明は将来育成されれば上記の電子出願Ｑ７２に編入される。本件は諸種の課題解決の必要がある。
【実施例６】
【００９９】
＜検討体（節電体）＞
図１３（ａ）は節電体の建物内部の集中室・拡散室に於ける１例を示す平面図、図１３（ｂ）は同実施例の各室の１例を示す縦断面図、図１３（ｃ）は電源材・選択材が対照的に
配置された設定設備の１例を示す平面図である。また、Ｍ００は節電体、Ｍ１０は建物、Ｍ１１は集中室、Ｍ１２は拡散室、Ｍ１３は物品棚、Ｍ１４は関連物品、Ｍ１５は区画材、Ｍ１６は配置図、Ｍ１７は設定材、Ｍ２０は設定設備、Ｍ２１は調節機構、Ｍ２２は電源材、Ｍ２３は設定材、Ｍ３０は法制装置である。【０１００】
節電体は常時多数人が集中して業務・閲覧・購入検討を行いうる比較的に狭い集中室と、主に収容物・閲覧品・販売品等の関連物品が載置され常時は小人数が作業する比較的広い拡散室と、各々独立的に区画して配置され各室の照明・暖冷房が略統一的な電源構成で各室は独力的にＯＮ・ＯＦＦまたは明・暗に切り換え得るように構成される。該拡散室の電源が常時ＯＮまたは明のまま放置されることを極力可能にして主に都市等に於ける建物（ビル）の徹底した節電と、関係者の意識更新を図り、総合的・統一的な構成によって枯渇目前の資源・エネルギーの消費節減と非可逆の特質がある地球温暖化の抑制の一手段を図るものである。【０１０１】
集中室Ｍ１１は常時は机・椅子が並べられ多数人が集中して集合し業務・閲覧・購入検討することが可能で電力消費の少ない比較的に狭い室で照明・暖冷房の電源が必要に応じ常時ＯＮまたは明に設定されうる部屋である。これに対し対照的な拡散室M１２は常時関連物品M１４（収容物品・閲覧物・販売品・等）の常時配置が可能なように物品棚Ｍ１３が配置されている比較的に、あるいは相当に広く電力消費が大きい部屋である。これらの集中室Ｍ１１と拡散室Ｍ１２とは建物Ｍ１０内が建設当初から独立的な空間として建設されているものは少ない。または略共通的な空間が区画材Ｍ１５によって区画されているものがある。しかし建物Ｍ１０は建設の都合や経費・配置転換・暖冷房の都合や区画材Ｍ１５の都合等で共通的に構成されていた。この為暖冷房・照明の消費電力は止むを得ず大きくなっていた。【０１０２】
節電体Ｍ００は（ａ）建物Ｍ１０の各室が極力略独立的に区画される。（ｂ）各室の電源は極力独自に切り替え可能に略独立的な系統に構成される。（ｃ）拡散室の電源は使用時のみ統一的にＯＮまたは明にしうるように法制装置Ｍ３０に沿って構成される。なお、法制装置Ｍ３０の具体的な構成は数種考えられるので最も望ましいものが適用されるよう試験後に決定する。（ｄ）拡散室Ｍ１２・物品棚Ｍ１３は関連物品Ｍ１４の配置図Ｍ１６と、電源材Ｍ２２と、設定材Ｍ２３と、が対照的に配置された設定設備Ｍ２０が該法制装置Ｍ３０を満足あるいは満足可能にするような調節機構Ｍ２１を具備して構成される。
【産業上の利用可能性】
【０１０３】
本件開発は実施例のものに限定されることなく下記への適用も研究・検討中である。
１）実施例１は必需材（資源・エネルギー・環境・食料・人口）への適用を実施例として提示したが、必需材は１つの適用例であって、（請求項１）に掲載の通り実際にはシステム開発[現在・近未来以降の課題に対抗して開発された開発]への略全般への適用が可能であり、研究・検討中である。【０１０４】
２）実施例（１〜３）に掲載の技術思想は単に技術開発の分野のみに限定されることなく、経済界・行政組織・各種団体・個人の家庭の諸活動に於いても適用可能であると推定される。これによって近未来を検討する範囲が格段に広くなり、かつ近未来の極力長期の年月も含めた検討表によって大きな誤りの少ない活動が可能になる、と推定される。これらの活動は電子計算機・インターネット・他の最新技術の活用で的確になり、連携の輪も大幅に広がると推定される。【０１０５】
３）検討体（派生体）は具体的な運用は全て法制装置によって決定される。本来の目標が達成されるまで乱れなく一定の年月間に整然と秩序正しく運用されるか、否かは法制装置に依るところが大きい。従って、法制装置はあらかじめ一定の地域で試験的に実施された
「試験確認」で必要な法制が全て届出され協議・議決される。なお産業上の利用はこの法制制度に沿って成される。【０１０６】
４）検討体（改良体）はインターネット等が有効活用されて発明バンク等として活用されないか検討が必要である。電子出願の経験がないので未だ検討不足であるが、現行の特許出願が手続き上の難しさ・経済性等で一般大衆に縁遠いのではないかと考えインターネットの活用も一手段とされないか検討を要する。【０１０７】
５）検討体（節電体）は一般住宅に於ける節電のみでは限られている。住宅以外の建造物に於ける節電等は、総電力消費が法制装置によって略統一的に抑制する手段はないか検討を要する。電力供給に必要な地下資源が枯渇目前の中で電力消費量が増大一方にあるのは早晩破綻が生じないか。総合的な電力の供給・消費への対策が長期的視点も含めて必要とされる。現在は「節電」の呼びかけに止っている。その程度で果して済む問題であろうか。エネルギー源である地下資源は枯渇目前である。電力消費の拡大一方化の傾向は早晩危機にならないか。「法制装置」の検討も必要な段階でないだろうか。
【符号の説明】
【０１０８】
Ｐ００・・・検討体（養護体）、Ｐ１０・・・近未来検討表Ｐ２０・・・検討対象欄、Ｐ３０・・・必需材名欄、Ｐ３１・・・予測欄、Ｐ３５・・・識別欄、Ｐ３２・・・目標欄、Ｐ３４・・・追跡欄、Ｐ４０・・・データ欄、Ｐ４１・・・予測データ、Ｐ４２・・・目標データ、Ｐ４４・・・追跡データ、Ｐ４５・・・識別表示、Ｐ５０・・・必需材、Ｐ５１・・・資源、Ｐ５２・・・エネルギー、Ｐ５３・・・環境、Ｐ５４・・・食料、Ｐ５５・・・人口、Ｐ６０・・・最新技術、Ｐ６１・・・情報機(インターネット)、Ｐ６２・・・情報紙、Ｒ００・・・検討体（知能）、Ｒ１０・・・近未来検討表（個別）、Ｒ２０・・・近未来検討表（総合）、Ｒ３０・・・電子計算機（知能）、Ｒ３１・・・近未来検討表（知能）、Ｓ００・・・検討体（人口）、Ｓ１０・・・近未来検討表（人口）、Ｎ００・・・検討体、Ｎ１０・・・派生体、Ｎ２０・・・世界体、Ｎ２１・・・各国体、Ｎ２２・・・中核材、Ｎ２３・・・地方材、Ｎ２４・・・派生材、Ｑ００・・・検討体（改良体）、Ｑ１０・・・改良体、Ｑ１１・・・改良検討表、Ｑ１２・・・検討番号、Ｑ２０・・・現状枠、Ｑ２１・・・現状項目、Ｑ２２・・・現状要旨、Ｑ３０・・・改良枠、Ｑ３１・・・改良項目、Ｑ３２・・・改良要旨、Ｑ４０・・・追跡枠、Ｑ４１・・・追跡要旨、Ｑ５０・・・法制装置、M００・・・節電体、M１０・・・建物、Ｍ１１・・・集中室、Ｍ１２・・・拡散室、Ｍ１６・・・配置図、Ｍ１７・・・設定材、Ｍ１８・・・設定設備、Ｍ１９・・・調節機構、Ｍ２０・・・法制装置。
【図１】
2014038730.tif 000002
【図２（ａ）】
2014038730.tif 000003
【図２（ｂ）】
2014038730.tif 000004
【図３】
2014038730.tif 000005
【図４】
2014038730.tif 000006
【図５】
2014038730.tif 000007
【図６（ａ）】
2014038730.tif 000008
【図６（ｂ）】
2014038730.tif 000009
【図７（ａ）（ｂ）】
2014038730.tif 000010
【図７（ｃ）】
2014038730.tif 000011
【図８】
2014038730.tif 000012
【図９】
2014038730.tif 000013
【図１０】
2014038730.tif 000014
【図１１（ａ）（ｂ）】
2014038730.tif 000015
【図１１（ｃ）】
2014038730.tif 000016
【図１２】
2014038730.tif 000017
【図１３】
2014038730.tif 000018
【図１４】
2014038730.tif 000019